(57)【要約】【課題】  軽量化を図るとともに外力に対する安定性を向上させた排水用ブロックを提供する。【解決手段】  ブロック本体２の内部に長手方向にわたる排水路３を有し、上面１０の長手方向と直交する幅寸法を、排水路３のほぼ中心高さ位置における両側壁４の中間壁５間の幅寸法より広くした排水用ブロックにおいて、ブロック本体２の両側壁４を、その上下方向の中間壁５が断面ほぼ円形状の排水路３の内壁にほぼ沿う凸状湾曲面となし、その上側を排水路３の中心高さより上側位置で凹状湾曲面６に連続するとともに、これに連続する上向き傾斜面７を介し上部壁８を連設してブロック本体２の上部断面外郭形状を張出し状となす。【選択図】  図１
2007092504.tif 000002
【特許請求の範囲】
【請求項１】
ブロック本体（２）の内部に長手方向にわたる排水路（３）を有し、上面（１０）の長手方向と直交する幅寸法が、排水路（３）のほぼ中心高さ位置における両側壁（４）の中間壁（５）間の幅寸法より広くなされた排水用ブロックにおいて、ブロック本体（２）の両側壁（４）が、その上下方向の中間壁（５）が断面ほぼ円形状の排水路（３）の内壁にほぼ沿う凸状湾曲面となされ、その上側が排水路（３）の中心高さより上側位置で凹状湾曲面（６）に連続されるとともに、これに連続する上向き傾斜面（７）を介し上部壁（８）が連設されてブロック本体（２）の上部断面外郭形状が張出し状となされてなる排水用ブロック。
【請求項２】
ブロック本体（２）の側壁（４）に、その中間壁（５）から外方に突出して側壁（４）の上位から下位にわたるフランジ（１１）が縦設されてなる請求項１記載の排水用ブロック。
【請求項３】
中間壁（５）の下側に、ブロック本体（２）の下部断面外郭形状が下方末広がり状をなすべく下部壁（９）が連設されてなる請求項１又は２記載の排水用ブロック。
【発明の詳細な説明】
【技術分野】
【０００１】  本発明は、路上の雨水等、表面水を排水するために道路の路側や中央分離帯、歩車道の境界部、公園、広場、宅地等、種々の場所にその地表面に埋設施工される排水用ブロックに関するものである。
【背景技術】
【０００２】  従来、この種の排水用ブロックとして、例えば図６（イ）乃至（ハ）に示すように、内部に長手方向に沿う断面円形状の排水路２２が設けられたブロック本体２１の上面２７が長さ方向と直交する幅一方向に傾斜状となされ、該上面２７の幅寸法が排水路２２のほぼ中心高さ位置における両側壁２３間の幅寸法より大きくなされた暗渠型の排水用ブロック２０があって、ブロック本体２１の両側壁２３が、その上下方向の中間壁２４が下向きに漸縮する傾斜面状をなしてその上側に上部壁２５、下側に下部壁２６が夫々連設され、ブロック本体２１の断面外郭形状が上部から下方に向けその全体が漸次窄まるべくほぼ逆台形状となされ、ブロック本体２１の長手方向両端面の下位両側に本体部分から突出するフランジ２８が夫々設けられたものがある。
【発明の開示】
【発明が解決しようとする課題】
【０００３】  しかしながら、かかる従来の排水用ブロック２０は、図６（ハ）に示すように、ブロック本体２１の両側壁２３が、その上下方向の中間壁２４が下向きに漸縮する傾斜面状をなしてその上側に上部壁２５、下側に下部壁２６が夫々連設され、ブロック本体２１の断面外郭形状が上部から下方に向けその全体が漸次窄まるべくほぼ逆台形状となされているために、底部の幅が狭くなって接地面積が小さく、且つブロック本体２１上部に贅肉が付いて該所が嵩張り、その重心位置が高くなって不安定であり、又、ブロック本体２１の重量も重くなって運搬や施工時の作業性に劣るという問題点があった。
更に、両側壁２３が上記の如き凹凸起伏の少ない直線的で単調な形状となされているために、地表面への埋設使用時に、その上面２７や隣接する路面に輪荷重等が作用した際に、ブロック本体２１の両側壁２３と該両側壁２３に臨む路盤材等、埋め戻し土との競り合いが小さく（接触による摩擦が小さく）、ブロック本体２１や隣接路面の沈下に対する抵抗力が劣るとともに、排水用ブロック２０の長手方向で上記断面形状からなるブロック本体２１を補強すべきフランジ２８は、その長手方向両端部にだけあるため、上面２７に作用する上記輪荷重を広い幅（ブロック本体２１にフランジ２８を含めた長手方向と直交する幅）でもって支持する長手方向のスパンが長くなり、上記輪荷重に対するブロック本体２１の抵抗力に限度があるという問題点があった。
本発明はかかる従来の問題点に鑑みてなされたものであって、軽量化を図るとともに外力に対する安定性を向上させた排水用ブロックを提供することを課題としている。
【課題を解決するための手段】
【０００４】  上記課題を解決するため、本発明の排水用ブロックは、ブロック本体２の内部に長手方向にわたる排水路３を有し、上面１０の長手方向と直交する幅寸法が、排水路３のほぼ中心高さ位置における両側壁４の中間壁５間の幅寸法より広くなされた排水用ブロックにおいて、ブロック本体２の両側壁４が、その上下方向の中間壁５が断面ほぼ円形状の排水路３の内壁にほぼ沿う凸状湾曲面となされ、その上側が排水路３の中心高さより上側位置で凹状湾曲面６に連続されるとともに、これに連続する上向き傾斜面７を介し上部壁８が連設されてブロック本体２の上部断面外郭形状が張出し状となされてなるものである。【０００５】  又、本発明の排水用ブロックは、上記排水用ブロックにおいて、ブロック本体２の側壁４に、その中間壁５から外方に突出して側壁４の上位から下位にわたるフランジ１１が縦設されてなる構成を採用することができる。【０００６】  又、本発明の排水用ブロックは、上記各排水用ブロックにおいて、中間壁５の下側に、ブロック本体２の下部断面外郭形状が下方末広がり状をなすべく下部壁９が連設されてなる構成を採用することができる。
【発明の効果】
【０００７】  本発明の排水用ブロックは、ブロック本体の両側壁が、その上下方向の中間壁が断面ほぼ円形状の排水路の内壁にほぼ沿う凸状湾曲面となされ、その上側が排水路の中心高さより上側位置で凹状湾曲面に連続されるとともに、これに連続する上向き傾斜面を介し上部壁が連設されてブロック本体の上部断面外郭形状が張出し状となされているため、ブロック本体上部が凹状湾曲面に伴う括れ部を有しスリム化されて軽量化を図ることができ、又、軽量化によって運搬や施工作業等の作業性を向上させることができる。
更に、ブロック本体の両側壁が上記の如き形状となされていることから、両側壁が上下方向に凹凸状の起伏に富んだ面となり、地表面への埋設使用時に、その上面や隣接する路面に輪荷重等が作用しても、ブロック本体両側壁と該両側壁に臨む路盤材等、埋め戻し土との競り合いが大きく、更に詳しくは、ブロック本体上部の凹状湾曲面に伴う括れ部に埋め戻し土が食い込む如く位置するため相互間の接触摩擦が大きくなり、ブロック本体や隣接路面の沈下に対する抵抗力に優れて、上記外力に対する安定性を向上させることができる。【０００８】  又、本発明の排水用ブロックは、ブロック本体の側壁に、その中間壁から外方に突出して側壁の上位から下位にわたるフランジが縦設されてなるため、側壁面から縦リブ状に突設されたフランジが、上記断面形状からなるブロック本体の補強部位となり、上面に作用する輪荷重等を広い幅（ブロック本体にフランジを含めた長手方向と直交する幅）でもって支持する長手方向のスパンを分割して短スパンで支持することにより、ブロック本体の輪荷重等、鉛直力に対する強度を向上させ、又、底部の接地幅及び面積も増大せしめてブロック本体の土圧、地震時等、水平力に安定性をも向上させることができる。【０００９】  又、本発明の排水用ブロックは、中間壁の下側に、ブロック本体の下部断面外郭形状が下方末広がり状をなすべく下部壁が連設されているため、底部の幅が広くなり、その接地面積を大きくして輪荷重、地震等、外力に対する安定性を向上させることができるとともに、地表面への埋設使用時に、その上面や隣接する路面に輪荷重等が作用しても、ブロック本体両側壁下部と該両側壁下部に臨む路盤材等、埋め戻し土との競り合いが大きく、詳しくは下方末広がり状の下部壁に伴う括れ部に埋め戻し土が食い込む如く位置するため相互間の接触摩擦が大きくなり、上述した両側壁（下部を除く）の形状と相俟って、ブロック本体や隣接路面の沈下に対する抵抗力に優れて、上記外力に対する安定性を向上させるという相乗効果を奏する。
【発明を実施するための最良の形態】
【００１０】  以下、図面を参照しながら本発明の実施の形態について説明する。
図１（イ）乃至（ハ）は本発明の排水用ブロックの一実施の形態を示し、１は本実施形態の排水用ブロックであって、横長状で主としてコンクリート製のブロック本体２の内部に長手方向に沿って断面円形状の排水路３が設けられ、ブロック本体２の上面１０が長手方向とほぼ直交する幅方向に傾斜状となされてその幅寸法が、排水路３のほぼ中心高さ位置における両側壁４の上下方向の中間壁５の幅寸法より広くなされた暗渠型のものである。
又、図１（ハ）に示すように、ブロック本体２の両側壁４は、その上下方向の中間壁５が上記排水路３の内壁にほぼ沿う断面ほぼ円弧状をなす凸状湾曲面となされ、その上側が排水路３の中心高さより上側位置で断面ほぼ円弧状をなす凹状湾曲面６に連続されるとともに、更にこれに連続する上向き傾斜面７を介し上部壁８が連設されてブロック本体２の上部断面外郭形状が張出し状となされ、上記中間壁５の下側に、ブロック本体２の下部断面外郭形状が下方末広がり状をなすべく下部壁９が連設されてなる。【００１１】  具体的には、上記両側壁４の中間壁５は、排水路３の底部付近の高さ位置から排水路３の中心とその上部の中間高さ位置にわたり、排水路３の内壁との間に所定厚みを設けて排水路３の円弧状内壁にほぼ沿う凸状湾曲面となされ、該中間壁５の上側に凹状湾曲面６、上向き傾斜面７を介してほぼ垂直状をなす上部壁８が連設されることで、ブロック本体２の上部断面外郭形状において凹状湾曲面６が括れ部１３をなし、上部壁８が張出し状となってその上部に贅肉が付かずに該所がスリム化され軽量化が図られることで、運搬や施工時等の作業性が向上するようになされている。
又、上記中間壁５の下側に連設される下部壁９は、下方で漸開する傾斜状面となされることで、上記中間壁５との連設部に括れ部１３を伴ってブロック本体２の下部断面外郭形状が下方末広がり状となされ、ブロック本体２の底部幅を広げその接地面積を大きくすることで、輪荷重、地震等、外力に対する安定化が図られている。
更に、両側壁４が上記の如き上下にわたって凹凸状の起伏に富んだ面形状となされているため、地表面への埋設使用時に、ブロック本体２の上面１０や隣接する路面に輪荷重等が作用しても、両側壁４と該両側壁４に臨む路盤材等、埋め戻し上との競り合いが大きく、詳しくは、ブロック本体２上部の凹状湾曲面６及びブロック本体２下部の下方末広がり状の下部壁９に伴う各括れ部１３に埋め戻し土が転圧されて食い込む如く接することで相互間の摩擦抵抗が大きくなって、ブロック本体２や隣接路面の沈下に対する抵抗力が優れるようになされている。【００１２】  又、ブロック本体２の長手方向両端の幅方向の両側に、上記上向き傾斜面７の中途から下位にわたって本体部分の中間壁５から外方に突出（突出寸法Ｘ）するフランジ１１が夫々設けられ、該フランジ１１を有する長手方向一端面には、他の排水用ブロック１との連結に際して相互の排水路３間の漏水防止を図る止水パッキンが取付けられることもある（図示せず）。【００１３】  図２（イ）乃至（ハ）、図３（イ）及び（ロ）は本発明の排水用ブロックの他実施の形態を示し、本実施形態の排水用ブロック１は、図１（イ）乃至（ハ）に示すものとほぼ同様のものであって、これと異なる点は、ブロック本体２の上面１０が長手方向とほぼ直交する幅方向両端部から中央部に向け斜降状の傾斜面となされ、これに伴い両側壁４が上記幅方向中央部を中央にして左右対称状に形成されている。
又、図２（イ）、図３（イ）及び（ロ）に示すように、長手方向にわたる両側壁４の中間部（本実施形態ではほぼ中央部）に、上向き傾斜面７の中途から下位にわたり断面凸状をなすフランジ１１が中間壁５から外方に突出（突出寸法Ｘ）して夫々縦設され、上記長手方向両端のフランジ１１と相俟って両側壁４の上部凹状湾曲面６に伴う括れ部１３を充填して補強するとともに、上部壁８を支持してブロック本体２の補強部位をなし、上面１０に作用する輪荷重等を広い幅（ブロック本体２に上記両フランジ１１を含めた長手方向と直交する幅）でもって支持する長手方向のスパンを分割して短スパンで支持することにより、ブロック本体２の輪荷重等、鉛直力に対する耐力を向上させ、延いては、排水用ブロック１が鉄筋コンクリート造の場合、所定の鉛直力に抵抗し得るブロック本体２の厚さ、又は、内在させる鉄筋の配筋量を減ずることができて経済性を向上させ、又、底部の接地幅及び面積も増大せしめてブロック本体２の土圧、地震時等、水平力に安定性をも向上させた点であり、その他の部分は上記図１（イ）乃至（ハ）に示すものと同様で、その部分の説明は上記の説明を援用する。【００１４】  図４は本発明の排水用ブロックの他実施の形態を示し、本実施形態の排水用ブロック１は、図２（イ）乃至（ハ）、図３（イ）及び（ロ）に示すものとほぼ同様のものであって、これと異なる点は、図４（イ）の左部、（ロ）及び（ハ）に示す排水用ブロック１の場合は、ブロック本体２の長手方向とほぼ直交して幅方向両端部から内側に向け斜降状の傾斜面となされた上面１０の最低部がその幅方向一端寄り、即ち背面側に片寄って位置され、該背面側の括れ部１３（凹状湾曲面６）が奥深く形成されるとともに、両側壁４の中間部における両フランジ１１の突出端面が上部壁８に近接され、又、両下部壁９の拡開度合が大きくなされた点であり、続いて、図４（イ）の右部、（ニ）及び（ホ）に示す排水用ブロック１の場合は、幅一方向にわたる傾斜面となされた上面１０の低部側（背面側）端縁に縁石部が突設されるとともに、その下位で括れ部１３をなす凹状湾曲面６が上記他実施の形態と同様に奥深く形成され、且つ長手方向にわたる両側壁４をほぼ３等分する如くその中間部に、凸状の突出端面を上部壁８に近接させたフランジ１１が２箇所縦設された点であって、夫々背面側のフランジ１１による奥深く形成された上部の括れ部１３（凹状湾曲面６）の補強効果が顕著であり、その他の部分は上記図２（イ）乃至（ハ）、図３（イ）及び（ロ）に示すものと同様で、その部分の説明は上記の説明を援用する。【００１５】  尚、上記実施形態ではブロック本体２の上面１０に孔や開口部等を設ける旨の記載はなされていないが、例えば図５（イ）乃至（ニ）に示すように、夫々幅方向に勾配を有して傾斜面をなす上面１０の幅方向最低部付近に、その断面が屈折状や直線状を呈して排水路３に連通する平面視スリット（細幅）状等、適宜形状をなす排水孔１２が１又は複数個長手方向に適宜間隔をあけて設けられてもよいし、或いは、図５（ホ）に示すように、傾斜面をなす上面１０と排水路３の頂部を連通する狭幅の排水孔１２が長手方向にわたり設けられてブロック本体２自体が開渠型となされ、上��狭幅の排水孔１２を挟んだ上面１０の幅方向一側に縁石部が長手方向にわたり膨出して設けられてもよい。更に又、上記各排水孔１２が集水蓋で覆われる等、その上面１０の形態は特に限定されない。
尚又、ブロック本体２の両側壁４に、その中間壁５から外方に突出し、側壁４の上位から下位に縦設したフランジ１１の突設位置、数及び側壁４からの突出度合（突出寸法Ｘ）、上位から下位に至る傾斜勾配等、具体的な形状も上記実施形態に限定されず適宜に設定可能であり、又、何れか片側の側壁４にのみフランジ１１が縦設されてもよい。【００１６】  又、本発明の排水用ブロックは、上記実施形態のものに限定されず、適宜長さを有するブロック本体２の上面１０の幅寸法が、内部の排水路３のほぼ中心高さ位置における両側壁４の中間壁５間の幅寸法より広いことを前提条件として、ブロック本体２の両側壁４が、その中間壁５が排水路３の底部付近の高さ位置から排水路３の中心高さより上側位置にわたり断面ほぼ円形状（縦長楕円形状、卵形状、縦長円形状、欠円形状等を含む）の排水路３の内壁にほぼ沿う凸状湾曲面となされ、その上側に凹状湾曲面６及び上向き傾斜面７が連続され、括れ部１３を有することでブロック本体２上部の嵩張りを抑制して更に上部壁８が張出し状に連設されればよい。又、これに加えてブロック本体２の底部の接地幅及び面積を大きくすべく、中間壁５の下側に括れ部１３を介し下部壁９が連設されて形成されればよい。
【図面の簡単な説明】
【００１７】
【図１】  本発明の排水用ブロックの一実施の形態を示し、（イ）は正面図、（ロ）は側面図、（ハ）は（イ）のＡ−Ａ拡大断面図。
【図２】  本発明の排水用ブロックの他実施の形態を示し、（イ）は正面図、（ロ）は側面図、（ハ）は（イ）のＢ−Ｂ断面図。
【図３】  （イ）は図２（イ）のＣ−Ｃ拡大断面図、（ロ）は図２（イ）のＥ−Ｅ一部省略拡大端面図。
【図４】  本発明の排水用ブロックの他実施の形態を示し、（イ）は正面図、（ロ）は（イ）の左部の左側面図、（ハ）は（イ）のＦ−Ｆ拡大断面図、（ニ）は（イ）の右部の右側面図、（ホ）は（イ）のＧ−Ｇ拡大断面図。
【図５】  （イ）乃至（ホ）は排水用ブロックの他例を示す断面図。
【図６】  従来の排水用ブロックの例を示し、（イ）は正面図、（ロ）は側面図、（ハ）は（イ）のＤ−Ｄ拡大断面図。
【符号の説明】
【００１８】  １，２０  排水用ブロック
２，２１  ブロック本体
３，２２  排水路
４，２３  側壁
５，２４  中間壁
６  凹状湾曲面
７  上向き傾斜面
８，２５  上部壁
９，２６  下部壁
１０，２７  上面
１１，２８  フランジ
１２  排水孔
１３  括れ部
【図１】
2007092504.tif 000003
【図２】
2007092504.tif 000004
【図３】
2007092504.tif 000005
【図４】
2007092504.tif 000006
【図５】
2007092504.tif 000007
【図６】
2007092504.tif 000008